(57)【要約】      （修正有）【課題】葬式の時に参拝者が見ることができ、しかも、見た目も良く、無くなる恐れもなく、かつ安価に製作できる棺桶用蓋の貼着シートを提供する。【解決手段】表面１８側には木目模様の下地が形成され、裏面１９側に接着剤が塗布されて、棺桶の蓋の上面に貼って使用するシートであって、前記木目模様が記載された表面１８側には、下部に花が咲いた蓮の絵２０、上部に鳳凰２１及び羽衣の絵のいずれか１が記載され、中央部には余白部２２が設けられ、しかも、前記接着剤は剥離可能な離型紙で保護されている。【選択図】図２
0003113259.tif 000002
【実用新案登録請求の範囲】
【請求項１】
表面側には木目模様の下地が形成され、裏面側に接着剤が塗布されて、棺桶の蓋の上面に貼って使用するシートであって、
前記木目模様が記載された表面側には、下部に花が咲いた蓮の絵、上部に鳳凰及び羽衣の絵のいずれか１が記載され、中央部には余白部が設けられ、
しかも、前記接着剤は剥離可能な離型紙で保護されていることを特徴とする棺桶用蓋の貼着シート。
【請求項２】
請求項１記載の棺桶用蓋の貼着シートにおいて、前記余白部の左右いずれか一方には、死者に対して送る言葉が予め印刷されていることを特徴とする棺桶用蓋の貼着シート。
【請求項３】
請求項１及び２のいずれか１項に記載の棺桶用蓋の貼着シートにおいて、前記余白部は、参拝者のメッセージ記載欄となっていることを特徴とする棺桶用蓋の貼着シート。
【請求項４】
請求項１及び２のいずれか１項に記載の棺桶用蓋の貼着シートにおいて、前記余白部に、別に用意された短冊状のメッセージ記載片を貼り付けるようになっていることを特徴とする棺桶用蓋の貼着シート。
【考案の詳細な説明】
【技術分野】
【０００１】
本考案は、故人と深い関わりのあった人々が生前の故人を偲び、思い出や感謝の気持ちを込めた絵柄を有して棺桶の蓋に貼るシートであって、葬式の際、故人の安らかな旅立ちを願うための棺桶用蓋の貼着シートに関する。
【背景技術】
【０００２】
従来、棺桶の価値を高めるために、棺桶本体の内側面や遺体を載せて遺体と共に棺桶本体内に納める底板の表面に、葬儀に相応しい、例えば、蓮の花等の絵柄を設けることが行われている（例えば、特許文献１参照）。
また、死んだペットに対する飼い主の心を癒すために、ペットの死骸を収納する棺桶の上面及び側面を覆う紙又は布製のクロスにポケットを設け、このポケットにペットの写真、ペットの名札及びペットへのメッセージカードを挿入する形態のものが知られている（例えば、特許文献２参照）。
【０００３】
【特許文献１】特開２００１−１６１７６３号公報（図６及び図７）
【特許文献２】特開２００５−７４１５２号公報（図１及び図２）
【考案の開示】
【考案が解決しようとする課題】
【０００４】
しかしながら、特許文献１及び特許文献２に記載の形態のものにおいては、未だ解決すべき以下のような問題があった。
特許文献１においては、遺体を棺桶に入れる納棺の前では、蓮の花等の絵柄を見ることができるが、納棺した後の葬式の時には、参拝者は絵柄を見ることができなかった。しかも、大きな絵柄としているので、製作にコストを要した。また、底板の場合は絵柄が描かれたシート材を貼着するようになっているが、棺桶本体の場合は、内側面に直接、絵柄を描くので、描く作業に手間を要した。
特許文献２においては、メッセージカードが人間に対するものでなく、ペットに対するものであり、また、メッセージカードを、透明なセロファンシートの３辺を接着剤等で貼り付けて構成したポケットに挿入するので、ポケットの製作にコストを要すると共に、見た目が悪く、また、メッセージカードがポケットから落ちて無くす恐れもあった。
【０００５】
本考案はかかる事情に鑑みてなされたもので、葬式の時に参拝者が見ることができ、しかも、見た目も良く、無くなる恐れもなく、かつ安価に製作できる棺桶用蓋の貼着シートを提供することを目的とする。
【課題を解決するための手段】
【０００６】
前記目的に沿う本考案に係る棺桶用蓋の貼着シートは、表面側には木目模様の下地が形成され、裏面側に接着剤が塗布されて、棺桶の蓋の上面に貼って使用するシートであって、前記木目模様が記載された表面側には、下部に花が咲いた蓮の絵、上部に鳳凰及び羽衣の絵のいずれか１が記載され、中央部には余白部が設けられ、しかも、前記接着剤は剥離可能な離型紙で保護されている。
【０００７】
本考案に係る棺桶用蓋の貼着シートにおいて、前記余白部の左右いずれか一方には、死者に対して送る言葉が予め印刷されてもよい。
本考案に係る棺桶用蓋の貼着シートにおいて、前記余白部は、参拝者のメッセージ記載欄となってもよい。
本考案に係る棺桶用蓋の貼着シートにおいて、前記余白部に、別に用意された短冊状のメッセージ記載片を貼り付けてもよい。
【考案の効果】
【０００８】
請求項１〜４記載の棺桶用蓋の貼着シートは、棺桶の蓋の上面に貼って使用するシートであって、木目模様の下地が形成された表面側の下部には花が咲いた蓮の絵、上部には鳳凰及び羽衣の絵のいずれか１が記載され、中央部には余白部が設けられているので、遺族等の参拝者にとって故人の最後の旅立ちを真心を込めて見送ることができ、また、従来の棺桶に高級感と華やかさを出すことができ、更に、安価に製作することができる。しかも、棺桶用蓋の貼着シートは、裏面側に接着剤が塗布されて、かつ、接着剤は剥離可能な離型紙で保護されているので、簡単に取付けることができ、また、容易に落ちる恐れがない。
【０００９】
特に、請求項２記載の棺桶用蓋の貼着シートにおいては、余白部の左右いずれか一方には、死者に対して送る言葉が予め印刷されているので、死者に対して送る言葉を考えて、それを直接手書きする手間が不要となる。
請求項３記載の棺桶用蓋の貼着シートにおいては、余白部は、参拝者のメッセージ記載欄となっているので、参拝者の故人に対する心を込めた思いを直接表現することができる。
請求項４記載の棺桶用蓋の貼着シートにおいては、余白部に、別に用意された短冊状のメッセージ記載片を貼り付けるので、各自が別個に事前にメッセージをメッセージ記載片に書くことができ、しかも、書いたメッセージ記載片を容易に貼着シートに取付けることができる。
【考案を実施するための最良の形態】
【００１０】
続いて、添付した図面を参照しつつ、本考案を具体化した実施の形態につき説明し、本考案の理解に供する。
ここで、図１は本考案の一実施の形態に係る棺桶用蓋の貼着シートを貼着した棺桶の斜視図、図２は同棺桶用蓋の貼着シートの説明図である。
【００１１】
図１及び図２に示すように、本考案の一実施の形態に係る棺桶用蓋の貼着シート１０を貼着した棺桶１１は、葬儀等の際に遺体１２を納めるために使用されるもので、上側が開口し、遺体１２が底部に配置される直方体で箱状の棺桶本体１３と、棺桶本体１３の開口を覆う蓋１４とを備えて構成されている。蓋１４の長手方向の一側には、遺体１２の顔部１５を覗いて見ることができる窓１６が形成されており、蓋１４の上面１７の蓋１４の長手方向の他端部と窓１６との中間部には貼着シート１０が貼着されている。
【００１２】
図２に示す貼着シート１０は紙製で矩形状に形成されており、表面１８側には木目模様（図示せず）の下地が形成され、裏面１９側に接着剤が塗布されて、棺桶１１の蓋１４の上面１７に貼って使用するようになっている。貼着シート１０のサイズは、一例として、横の長さＹ（１００〜７００ｍｍ）、縦の長さＴ（１５０〜１５００ｍｍ）としている。なお、本実施の形態では、Ｙ＝２１０ｍｍ、Ｔ＝２９７ｍｍ（Ａ４サイズ）である。また、蓋１４のサイズ及び窓１６のサイズや位置等に応じて、貼着シート１０の縁部は蓋１４の両側端、下端及び窓１６からそれぞれ１０〜４０ｍｍ以上の隙間をあけることもできる。
【００１３】
図２に示すように、木目模様が記載された表面１８側の下部には、花が咲いた蓮の絵２０が描かれており、上部には、向かい合った対となる鳳凰の絵２１が描かれている。なお、鳳凰の絵２１の代わりに羽衣の絵を描くこともできる。それぞれの絵の意味は以下の通りである。
蓮は汚い泥中から清純な花を咲かせ、極楽浄土に見立てられている。蓮の台は極楽浄土に往生した者の座るという蓮華の座を表している。
鳳凰は中国古代の想像上の瑞鳥であって、雄を鳳、雌を凰と言い、徳の高い君子が天子の位に就くと出現すると考えられている。
羽衣は天人の衣装であり、羽衣伝説によると、天女が水浴中に羽衣を盗まれて天に帰れず人妻となって暮すうち、羽衣を探し出して昇天すると言われる。
【００１４】
棺桶用蓋の貼着シート１０の上部の鳳凰の絵２１と下部の蓮の絵２０との間の中央部には余白部２２が設けられており、余白部２２の右側には、死者に対して送る言葉、即ち、「やすらかな旅立ちを」が縦書きで、しかも、楷書体又は行書体で予め印刷されている。また、余白部２２はメッセージ記載欄となっており、メッセージ記載欄には、参拝者が左側から右側にかけて横書きで、例えば、「故人の生前を偲びご冥福をお祈りいたします。」というメッセージを書くことのできるようになっている。
【００１５】
メッセージの他の例として、「故人のご功績を偲びつつしんで哀悼の意を表します。」、「お父さん、ありがとう。」及び「お母さん、安らかに。」等をメッセージ記載欄に書くことができる。
裏面１９側に塗布された接着剤は剥離可能な離型紙で保護されており、離型紙として、シート紙、合成樹脂シート及びゴムシートのいずれかを使用することができる。
【００１６】
次に、本考案の一実施の形態に係る棺桶用蓋の貼着シート１０の使用方法について、図を参照して説明する。
余白部２２のメッセージ記載欄にメッセージが書かれていない、即ち、蓮の絵２０、鳳凰の絵２１及び余白部２２の右側の「やすらかな旅立ちを」が印刷された状態の貼着シート（未記載シートと呼ぶ）を事前に準備する。
【００１７】
図１に示すように、遺族や近親者が遺体１２を棺桶１１に納棺した後、死者を葬る前に家族、縁者及び知人などが遺体１２の側で終夜守って通夜を執り行っている際に、未記載シートの余白部２２に故人への思いを、心を込めたメッセージ、例えば、図２に示すように、「故人の生前を偲びご冥福をお祈りいたします。」を直接書いて、棺桶用蓋の貼着シート１０とする。
【００１８】
通夜が終わった後に、図１に示すように、棺桶用蓋の貼着シート１０の離型紙を剥がして裏面１９側に塗布された接着剤を介して棺桶１１の蓋１４の上面１７に貼着する。棺桶用蓋の貼着シート１０を棺桶１１に貼ることにより、葬式の際、遺族等の参拝者にとって故人の最後の旅立ちを真心を込めて見送ることができると共に、従来の棺桶１１に高級感と華やかさを出すことができる。
【００１９】
本考案は前記した実施の形態に限定されるものではなく、本考案の要旨を変更しない範囲での変更は可能であり、例えば、前記したそれぞれの実施の形態や変形例の一部又は全部を組み合わせて本考案の棺桶用蓋の貼着シートを構成する場合も本考案の権利範囲に含まれる。
本実施の形態では、余白部２２の右側に死者に対して送る言葉を予め印刷したが、これに限定されず、必要に応じて、余白部２２の左側に印刷することもできる。
【００２０】
余白部２２のメッセージ記載欄に、メッセージを直接書くようにしたが、これに限定されず、必要に応じて、別に用意された短冊状のメッセージ記載片にメッセージを書いて、余白部に貼り付けるようにすることもできる。また、余白部２２のメッセージ記載欄に、１つのメッセージしか書かなかったが、これに限定されず、必要に応じて、複数のメッセージを書くこともできる。
【００２１】
貼着シート１０は紙製としたが、これに限定されず、必要に応じて、その他のシート材で構成することもできる。また、矩形状に形成したが、これに限定されず、必要に応じて、その他の形状に形成することもできる。
棺桶用蓋の貼着シート１０を棺桶１１に使用したが、これに限定されず、必要に応じて、後飾り祭壇にも使用することができる。
【図面の簡単な説明】
【００２２】
【図１】本考案の一実施の形態に係る棺桶用蓋の貼着シートを貼着した棺桶の斜視図である。
【図２】同棺桶用蓋の貼着シートの説明図である。
【符号の説明】
【００２３】
１０：棺桶用蓋の貼着シート、１１：棺桶、１２：遺体、１３：棺桶本体、１４：蓋、１５：顔部、１６：窓、１７：上面、１８：表面、１９：裏面、２０：蓮の絵、２１：鳳凰の絵、２２：余白部
【図１】
0003113259.tif 000003
【図２】
0003113259.tif 000004